(57)【要約】【課題】原形の空瓶をリサイクルしてつまみ皿や飾り物として利用できるガラス製品を提供することを目的とする。【解決手段】原形のワインボトル１を加熱・冷却して板状のガラス皿１０を形成する。板状に形成するガラス皿１０は、瓶口形状部１１、瓶胴体形状部１２、瓶底形状部１３を有している。瓶口形状部１１には、原形のワインボトル１の瓶口部１ａを変形した口部１１１を形成し、瓶胴体形状部１２には原形のワインボトル１の胴体部を変形した凹状部１２１を形成し、瓶底形状部１３には、原形のワインボトル１の底部１ｃの周囲部１ｄを変形した凸部１３１と底面１ｅを変形した凹部１３２とを形成する。【選択図】図１
0003166004.tif 000002
【実用新案登録請求の範囲】
【請求項１】
筒状のガラス瓶を加熱変形させて、元の形状を平板的な形状に形成したことを特徴とするガラス製品。
【請求項２】
瓶口形状部と瓶胴体形状部と瓶底形状部とからなり、前記瓶胴体形状部が凹状に形成されていることを特徴とする請求項１記載のガラス製品。
【請求項３】
前記瓶底形状部が、前記瓶胴体形状部から突出する凸状部を有して形成されていることを特徴とする請求項２記載のガラス製品。
【請求項４】
凹状に形成された前記瓶胴体形状部の裏面に、複数の凸部が形成されていることを特徴とする請求項２記載のガラス製品。
【請求項５】
凹状に形成された前記瓶胴体形状部の表面に、複数の凸部が形成されていることを特徴とする請求項２記載のガラス製品。
【請求項６】
前記瓶口形状部の口部に充填剤が充填されていることを特徴とする請求項２記載のガラス製品。
【考案の詳細な説明】
【技術分野】
【０００１】
本考案は、使用済みのガラス瓶を加熱して再使用できるガラス製品に関するものである。
【背景技術】
【０００２】
近年、使用済みとなった空瓶や空き缶等をリサイクルしてリサイクル製品として提供することが盛んになってきている。これに関して従来においては、使用済みのガラス瓶を再利用してリサイクル製品とする試みが特許文献１に記載されている。これによると、ガラス瓶を加熱して軟化させることにより、ガラス瓶を任意の形状に変形させていた。例えば、ガラス瓶の首部を加熱して軟化させて引き延ばし、螺旋状に曲げた後、上下逆向きにしてその下端をリング状にすることによってスタンド型のガラス製品を形成していた。この際、ガラス瓶を高さ方向にほぼ直角に切断してその切断面を加熱して軟化させ、ガラス瓶の切断端面の鋭角をなくして丸みを帯びた安全な形状に形成していた。これによって花瓶が形成されていた。
【先行技術文献】
【特許文献】
【０００３】
【特許文献１】登録実用新案第３０５７６３１号公報
【考案の概要】
【考案が解決しようとする課題】
【０００４】
しかし、上記に示す従来のリサイクル製品は、ガラス瓶を高さ方向にほぼ直角に切断して開口部を設けている。この場合、胴体部の外径部を残しているので、切断部分の容積は減少するものの、筒状の立体形状を保っていることから、例えば花瓶等に好適に使用することができる。しかし、高さ方向にスペースをとるような立体形状のものではなく、例えば皿のように板状のものにして容積を小さくすることに関しては、特許文献１では言及されていなかった。
【課題を解決するための手段】
【０００５】
本考案は、上記事情に鑑み、大きなスペースを必要とすることなくコンパクトに形成して収納しやすいガラス製品を提供することを目的とする。そのために本考案は以下のように構成する。すなわち、
請求項１記載の考案では、立体状のガラス瓶を加熱変形させて、元の形状を平板的な形状に形成したことを特徴としている。
【０００６】
請求項２記載の考案は、請求項１に係るものであって、瓶口形状部と瓶胴体形状部と瓶底形状部とからなり、前記瓶胴体形状部が凹状に形成されていることを特徴としている。
【０００７】
請求項３記載の考案は、請求項２に係るものであって、前記瓶底形状部が、前記瓶胴体形状部から突出する凸状部を有して形成されていることを特徴としている。
【０００８】
請求項４記載の考案は、請求項２に係るものであって、凹状に形成された前記瓶胴体形状部の裏面に、複数の凸部が形成されていることを特徴としている。
【０００９】
請求項５記載の考案は、請求項２に係るものであって、凹状に形成された前記瓶胴体形状部の表面に、複数の凸部が形成されていることを特徴としている。
【００１０】
請求項６記載の考案は、請求項２に係るものであって、前記瓶口形状部の口部に充填剤が充填されていることを特徴としている。
【考案の効果】
【００１１】
請求項１記載の考案によれば、立体状のガラス瓶を加熱変形させて、元の形状を平板的な形状に形成しているから、例えば、高さ方向にスペースを取らない皿や、皿状の置物として形成することができる。しかも、板状のガラス製品が元の形状を維持しているから、その形状に合わせた雰囲気をかもし出して楽しむことができる。
【００１２】
請求項２記載の考案によれば、板状のガラス製品が元の形状を維持するとともに、瓶胴体形状部が凹状に形成されているから、ガラス瓶がワインボトルであれば、チーズやハム等のワインのつまみを置くことができる皿、ビール瓶であれば、ピーナッツや柿の種等のビールのつまみを置く皿として好適に利用することができる。
【００１３】
また、ガラス製品が平板状に形成されており、表面を、ガラス製品の外縁部より凹状に形成しているので、スペースをとらない壁掛けとして利用でき、更に仕舞い込む際には収納しやすくできる。
【００１４】
請求項３記載の考案によれば、瓶底形状部が、瓶胴体形状部から突出する凸状部に形成されていることにより、つまみを置く皿として利用する場合、皿の回りの壁として形成できて、液状のつまみを外に零したり、粒状のつまみを外に落下させたりすることを防止できる。
【００１５】
請求項４記載の考案によれば、凹状に形成された前記瓶胴体形状部の裏面に、複数の凸部を形成すれば、裏面を設置面に接触させる際に、凸部分に荷重が集中して設置場所で滑ることを防止することができる。
【００１６】
請求項５記載の考案によれば、凹状に形成された前記瓶胴体形状部の表面に、複数の凸部を形成すれば、例えば、皿として使用した時には、凹部分に水分、油分が入り、食品の水切り、油切りをすることができる。
【００１７】
請求項６記載の考案によれば、瓶口形状部の口部には、充填剤が充填されている。そのため、口部からごみや汚れの侵入を防止することができる。
【図面の簡単な説明】
【００１８】
【図１】本考案の第１の実施形態のガラス製品を示す斜視図である。
【図２】図１におけるＡ‐Ａ断面図である。
【図３】図１におけるＢ‐Ｂ断面図である。
【図４】ガラス瓶を載置した載置台を示す斜視図である。
【図５】窯の全体を示す簡略斜視図である。
【図６】実施形態のガラス製品の加熱・冷却状態を示すグラフである。
【図７】（ａ）凹状の載置面に凹部を形成した載置台を示す斜視図と（ｂ）それにより形成されたガラス製品を示す斜視図である。
【図８】（ａ）凸状の載置面に凹部を形成した載置台を示す斜視図と（ｂ）それにより形成されたガラス製品を示す斜視図である。
【考案を実施するための形態】
【００１９】
本考案の第１の実施形態のガラス製品について図面に基づいて説明する。第１の実施形態においては、ガラス瓶をワインボトルで説明する。図１は、立体形状のワインボトル１を加熱して板状のガラス皿１０に形成したものであり、図２は、図１における板状のガラス皿１０のＡ-Ａ断面図であり、図３はＢ−Ｂ断面図である。
【００２０】
図１〜３に示すように、ガラス皿１０は、瓶口形状部１１と瓶胴体形状部１２と、瓶底形状部１３とから形成されている。瓶口形状部１１には原形の瓶口１ａから変形した口部１１１が形成されている。瓶胴体形状部１２は、瓶胴体形状部１２全体にわたって原形の円筒状の胴体部１ｂから変形した凹状部１２１を有して形成されている。瓶底形状部１３は、原形の底部１ｃの周囲部１ｄが変形して瓶胴体形状部１２より上方に盛り上がる凸部１３１と、原形の底面１ｅから変形した凹部１３２と、を備えて形成されている。更に、瓶胴体形状部１２の凹状部１２１には、原形のワインボトルの銘柄の記載されたラベル１５が貼り付けられている。
【００２１】
このガラス皿１０を製造する場合、まず、図４に示すように、原形のワインボトル１を載置台３に載置させる。この際、ラベル１５を剥がしておく。載置台３は、ワインボトル１を載置する載置面（上面）３ａを凹状に形成している。この凹状の載置面３ａにより、加熱されたワインボトル１の下面が凸状面となるように形成されることになる。
【００２２】
次に、この状態で図５に示す窯５に投入する。窯５は実施形態ではトンネル状に形成された加熱炉６と、加熱炉６の外部に配置される冷却部７とを備え、加熱炉６と冷却部７とを挿通するように、コンベア８が配置されている。コンベア８は、載置台３に載置されたワインボトル１またはガラス皿１０を搬送可能に配置されている。加熱炉６は、予備加熱部６１と本加熱部６２とを備えている。載置台３に載置されたワインボトル１はコンベア８上を流れることになり、加熱炉６内を挿通する。予備加熱部６１ではワインボトル１は約３０分間かけて８００℃程度に加熱され、本加熱部６２では９００〜１０００℃で約３０分間加熱される。
【００２３】
ワインボトル１は、予備加熱部６１、本加熱部６２で板状に変形される。立体状のワインボトル１は加熱されると、上面側が自重で垂れ下がり下面側に寄せられて重ね合わされて図１に示すような板状に形成されることになる。つまりワインボトル１は瓶口形状部１１と瓶胴体形状部１２と瓶底形状部１３とを有するガラス皿１０として形成されることになる。
【００２４】
図１に示すように、瓶口形状部１１は、上面が垂れ下がって下面側に寄せられて一の字状の口部１１１を有し、瓶胴体形状部１２は、載置台３の凹状に倣ってガラス皿１０の上面が凹状に形成されて下面が凸状に形成されることになる。また、瓶底形状部１３は、原形のワインボトル１の底部１ｃの周囲部１ｄが角部で厚く形成されていることから瓶胴体形状部１２より上方に盛り上がる凸部１３１として形成され、原形のワインボトル１の底面１ｅは凹部１３２として形成されることになる。
【００２５】
窯５内で加熱された状態のガラス皿１０は、軟らかい状態にあり、次に、コンベア８で流され、冷却部７に搬送されて冷却される。
【００２６】
冷却部７は、加熱炉６の外部に配置されて、自然冷却又はガスや液体を噴きかけながら９００〜１，０００℃から常温（１００℃以下）になるまで冷却する。冷却時間は１００℃ずつ数分間（１０分以内）で段階的に冷却する。ワインボトル１からガラス皿１０になるまでの加熱・冷却時間と温度との関係を図６に示す。
【００２７】
常温になった時点で、板状のガラス皿１０は硬くなり、重なり合った間の隙間を、瓶口形状部１１の口部１１１から水又は洗剤を流して洗浄する。洗浄した後、乾燥させた状態で口部１１１に充填材としてのコーティング剤１４（図１、図２参照）を挿入して口部１１１を塞ぐことになる。また、瓶胴体形状部１２上には、加熱する前に原形のワインボトル１から剥がしたラベル１５を貼り付ける。
【００２８】
上述のように原形のワインボトル１を所定時間加熱・冷却して板状のガラス皿１０が形成される。ガラス皿１０の瓶胴体形状部１２は凹状に形成され、瓶底形状部１３は凸状に形成されている。
【００２９】
なお、ガラス皿１０は、載置台３の載置面３ａの形状により、上述以外の形状に形成することができる。例えば、図７（ａ）に示すように、凹状に形成された載置面３ａに凹部３１を形成することによって、図７（ｂ）に示すように、板状のガラス皿１０の裏面に凸部１０１を形成することができる。これによって、床面との接触面を小さい面積にすることができ、面積の小さい凸部で荷重を受けることができるから滑り止めの機能を持たせることができる。
【００３０】
また、図８（ａ）に示すように、載置面３ａを凸状に形成してその面に凹部３２を設ける。形成したガラス皿１０を表面逆にすると、ガラス皿１０の表面側に凸部１０２を形成することになって、凹部に水分、油分が入り、食品の水切り、油切りをすることができる。
【００３１】
上記のようにワインボトル１から形成されたガラス皿１０は、瓶胴体形状部１２が凹状であることからつまみを置くことに好適であり、さらに瓶底形状部１３が盛り上がっているから、凹状の瓶胴体形状部１２に置いたつまみを落下又は零し難くしている。また、ラベル１５がワインの銘柄を記しているから、ワインを嗜む際に、チーズやサラミ等のつまみを置くつまみ皿として利用することができる。この場合、空瓶の原形が焼酎の瓶や日本酒の瓶であれば、ガラス皿１０には、ハムやソーセージ等の焼酎のつまみを置くつまみ皿であり、空瓶の原形がビール瓶であれば、ピーナッツや柿の種等のつまみを置くつまみ皿として利用することができる。
【００３２】
また、このガラス皿１０を、壁にかける飾り物として利用することができる。壁にかける場合であれば、厚みが薄いことから、壁から大きく突出することなく邪魔にならない。また、使用後に一旦仕舞う際でも、複数重ねることができ嵩張らないことから収納し易いという効果を達成することができる。
【符号の説明】
【００３３】
１  原形のワインボトル
１０  ガラス皿
１１  瓶口形状部
１１１  口部
１２  瓶胴体形状部
１３  瓶底形状部
１４  コーティング剤
【図１】
0003166004.tif 000003
【図２】
0003166004.tif 000004
【図３】
0003166004.tif 000005
【図４】
0003166004.tif 000006
【図５】
0003166004.tif 000007
【図６】
0003166004.tif 000008
【図７】
0003166004.tif 000009
【図８】
0003166004.tif 000010
【手続補正書】
【提出日】平成22年12月7日(2010.12.7)
【手続補正１】
【補正対象書類名】実用新案登録請求の範囲
【補正対象項目名】全文
【補正方法】変更
【補正の内容】
【実用新案登録請求の範囲】
【請求項１】
筒状のガラス瓶が横臥状態において加熱されることにより、一端に形成されて前記ガラス瓶の瓶口を平板状に形成した平板口部と、前記平板口部より幅広であって前記ガラス瓶の瓶胴体部を平板状に形成した平板胴体部と、他端に形成されて前記ガラス瓶の瓶底部を加熱変形させて形成した底部と、を有して平板状に形成されたことを特徴とするガラス製品。
【請求項２】
前記平板胴体部が凹状に形成されていることを特徴とする請求項１記載のガラス製品。
【請求項３】
前記底部が、前記平板胴体部から連接されて突出する凸状部を有して形成されていることを特徴とする請求項２記載のガラス製品。
【請求項４】
凹状に形成された前記平板胴体部の裏面に、複数の凸部が形成されていることを特徴とする請求項２記載のガラス製品。
【請求項５】
凹状に形成された前記平板胴体部の表面に、複数の凸部が形成されていることを特徴とする請求項２記載のガラス製品。
【請求項６】
前記平板口部に一の字状の細長口部が形成され、前記細長口部に充填剤が充填されていることを特徴とする請求項１記載のガラス製品。
【手続補正２】
【補正対象書類名】明細書
【補正対象項目名】０００５
【補正方法】変更
【補正の内容】
【０００５】
本考案は、上記事情に鑑み、大きなスペースを必要とすることなくコンパクトに形成して収納しやすいガラス製品を提供することを目的とする。そのために本考案は以下のように構成する。すなわち、
請求項１記載の考案では、筒状のガラス瓶が横臥状態において加熱されることにより、一端に形成されて前記ガラス瓶の瓶口を平板状に形成した平板口部と、前記平板口部より幅広であって前記ガラス瓶の瓶胴体部を平板状に形成した平板胴体部と、他端に形成されて前記ガラス瓶の瓶底部を加熱変形させて形成した底部と、を有して平板状に形成されたことを特徴としている。
【手続補正３】
【補正対象書類名】明細書
【補正対象項目名】０００６
【補正方法】変更
【補正の内容】
【０００６】
請求項２の考案は、請求項１に係るものであって、前記平板胴体部が凹状に形成されていることを特徴としている。
【手続補正４】
【補正対象書類名】明細書
【補正対象項目名】０００７
【補正方法】変更
【補正の内容】
【０００７】
請求項３記載の考案は、請求項２に係るものであって、前記底部が、前記平板胴体部から連接されて突出する凸状部を有して形成されていることを特徴としている。
【手続補正５】
【補正対象書類名】明細書
【補正対象項目名】０００８
【補正方法】変更
【補正の内容】
【０００８】
請求項４記載の考案は、請求項２に係るものであって、凹状に形成された前記平板胴体部の裏面に、複数の凸部が形成されていることを特徴としている。
【手続補正６】
【補正対象書類名】明細書
【補正対象項目名】０００９
【補正方法】変更
【補正の内容】
【０００９】
請求項５記載の考案は、請求項２に係るものであって、凹状に形成された前記平板胴体部の表面に、複数の凸部が形成されていることを特徴としている。
【手続補正７】
【補正対象書類名】明細書
【補正対象項目名】００１０
【補正方法】変更
【補正の内容】
【００１０】
請求項６記載の考案は、請求項１に係るものであって、前記平板口部に一の字状の細長口部が形成され、前記細長口部に充填剤が充填されていることを特徴としている。
【手続補正８】
【補正対象書類名】明細書
【補正対象項目名】００１１
【補正方法】変更
【補正の内容】
【００１１】
請求項１記載の考案によれば、立体状のガラス瓶を加熱変形させて、一端に形成した平板口部と、前記平板口部より幅広の平板胴体部と、他端に形成した底部とを有して元の形状を投影化して平板状に形成しているから、例えば、高さ方向にスペースを取らない皿や、皿状の置物として形成することができる。しかも、板状のガラス製品が元の形状を平面視において維持しているから、その形状に合わせた雰囲気をかもし出して楽しむことができる。
【手続補正９】
【補正対象書類名】明細書
【補正対象項目名】００１２
【補正方法】変更
【補正の内容】
【００１２】
請求項２記載の考案によれば、平板状のガラス製品が、平面視において、元の瓶の形状を投影化した形状に維持されているとともに、平板胴体部が凹状に形成されているから、元の形状のガラス瓶がワインボトルであれば、平板状のガラス製品はチーズやハム等のワインのつまみを置くことができる皿、ビール瓶であれば、ピーナッツや柿の種等のビールのつまみを置く皿として好適に利用することができる。
【手続補正１０】
【補正対象書類名】明細書
【補正対象項目名】００１４
【補正方法】変更
【補正の内容】
【００１４】
請求項３記載の考案によれば、底部が、平板胴体部から連接されて突出する凸状部に形成されていることにより、つまみを置く皿として利用する場合、皿の回りの壁として形成できて、液状のつまみを外に零したり、粒状のつまみを外に落下させたりすることを防止できる。
【手続補正１１】
【補正対象書類名】明細書
【補正対象項目名】００１５
【補正方法】変更
【補正の内容】
【００１５】
請求項４記載の考案によれば、凹状に形成された前記平板胴体部の裏面に、複数の凸部を形成すれば、裏面を設置面に接触させる際に、凸部分に荷重が集中して設置場所で滑ることを防止することができる。
【手続補正１２】
【補正対象書類名】明細書
【補正対象項目名】００１６
【補正方法】変更
【補正の内容】
【００１６】
請求項５記載の考案によれば、凹状に形成された前記平板胴体部の表面に、複数の凸部を形成すれば、例えば、皿として使用した時には、凹部分に水分、油分が入り、食品の水切り、油切りをすることができる。
【手続補正１３】
【補正対象書類名】明細書
【補正対象項目名】００１７
【補正方法】変更
【補正の内容】
【００１７】
請求項６記載の考案によれば、平板口部には、充填剤が充填されている。そのため、平板口部からごみや汚れの侵入を防止することができる。
【手続補正１４】
【補正対象書類名】明細書
【補正対象項目名】００２０
【補正方法】変更
【補正の内容】
【００２０】
図１〜３に示すように、ガラス皿１０は、平板口部１１と平板胴体部１２と、底部１３とから形成されている。平板口部１１は原形の瓶口１ａから変形して形成されている。平板胴体部１２は、平板胴体部１２全体にわたって原形の円筒状の平板胴体部１ｂから変形するとともに凹状部１２１を有して形成されている。底部１３は、原形の底部１ｃの周囲部１ｄが変形して平板胴体部１２より上方に盛り上がる凸部１３１と、原形の底面１ｅから変形した凹部１３２と、を備えて形成されている。更に、平板胴体部１２の凹状部１２１には、原形のワインボトルの銘柄の記載されたラベル１５が貼り付けられている。
【手続補正１５】
【補正対象書類名】明細書
【補正対象項目名】００２３
【補正方法】変更
【補正の内容】
【００２３】
ワインボトル１は、予備加熱部６１、本加熱部６２で板状に変形される。立体状のワインボトル１は加熱されると、上面側が自重で垂れ下がり下面側に寄せられて重ね合わされて図１に示すような板状に形成されることになる。つまりワインボトル１は平板口部１１と平板胴体部１２と底部１３とを有するガラス皿１０として形成されることになる。
【手続補正１６】
【補正対象書類名】明細書
【補正対象項目名】００２４
【補正方法】変更
【補正の内容】
【００２４】
図１に示すように、平板口部１１は、上面が垂れ下がって下面側に寄せられて一の字状の細長口部１１１を有し、平板胴体部１２は、載置台３の凹状に倣ってガラス皿１０の上面が凹状に形成されて下面が凸状に形成されることになる。また、底部１３は、原形のワインボトル１の底部１ｃの周囲部１ｄが角部で厚く形成されていることから平板胴体部１２より上方に盛り上がる凸部１３１として形成され、原形のワインボトル１の底面１ｅは凹部１３２として形成されることになる。
【手続補正１７】
【補正対象書類名】明細書
【補正対象項目名】００２７
【補正方法】変更
【補正の内容】
【００２７】
常温になった時点で、板状のガラス皿１０は硬くなり、重なり合った間の隙間を、平板口部１１の細長口部１１１から水又は洗剤を流して洗浄する。洗浄した後、乾燥させた状態で細長口部１１１に充填材としてのコーティング剤１４（図１、図２参照）を挿入して細長口部１１１を塞ぐことになる。また、平板胴体部１２上には、加熱する前に原形のワインボトル１から剥がしたラベル１５を貼り付ける。
【手続補正１８】
【補正対象書類名】明細書
【補正対象項目名】００２８
【補正方法】変更
【補正の内容】
【００２８】
上述のように原形のワインボトル１を所定時間加熱・冷却して板状のガラス皿１０が形成される。ガラス皿１０の平板胴体部１２は凹状に形成され、底部１３は凸状に形成されている。
【手続補正１９】
【補正対象書類名】明細書
【補正対象項目名】００３０
【補正方法】変更
【補正の内容】
【００３０】
また、図８（ａ）に示すように、載置面３ａを凸状に形成してその面に凹部３２を設ける。形成したガラス皿１０を表面逆にすると、ガラス皿１０の表面側に凸部１０２を形成することになって、凹部３２に水分、油分が入り、食品の水切り、油切りをすることができる。
【手続補正２０】
【補正対象書類名】明細書
【補正対象項目名】００３１
【補正方法】変更
【補正の内容】
【００３１】
上記のようにワインボトル１から形成されたガラス皿１０は、平板胴体部１２が凹状であることからつまみを置くことに好適であり、さらに底部１３が盛り上がっているから、凹状の平板胴体部１２に置いたつまみを落下又は零し難くしている。また、ラベル１５がワインの銘柄を記しているから、ワインを嗜む際に、チーズやサラミ等のつまみを置くつまみ皿として利用することができる。この場合、空瓶の原形が焼酎の瓶や日本酒の瓶であれば、ガラス皿１０には、ハムやソーセージ等の焼酎のつまみを置くつまみ皿であり、空瓶の原形がビール瓶であれば、ピーナッツや柿の種等のつまみを置くつまみ皿として利用することができる。
【手続補正２１】
【補正対象書類名】明細書
【補正対象項目名】００３３
【補正方法】変更
【補正の内容】
【００３３】
１  原形のワインボトル
１０  ガラス皿
１１  平板口部
１１１  細長口部
１２  平板胴体部
１３  底部
１４  コーティング剤